(57)【要約】【課題】横軸周りに回転可能なドラムを備えた構成にあって、衣類を乾燥するときの省電力化を図ることが可能な洗濯乾燥機を提供する。【解決手段】本実施形態の洗濯乾燥機は、水槽内に外気を取り込むための吸気口と、水槽内の空気を排気するための排気口と、を備える。洗濯乾燥機は、駆動装置によりドラムを回転させることに伴い、そのドラムの回転によって生じる風の流れにより、前記吸気口から取り込んだ空気を当該ドラムを通して前記排気口から前記水槽外へ出して、当該ドラム内の衣類を乾燥させるように構成した。【選択図】図１
2017200564.tif 000002
【特許請求の範囲】
【請求項１】
外郭を形成する筐体と、
前記筐体内に設けられた水槽と、
前記水槽内に横軸周りに回転可能に設けられ、多数の孔を有するドラムと、
前記ドラムを回転させる駆動装置と、
前記水槽内に外気を取り込むための吸気口と、
前記水槽内の空気を排気するための排気口と、を備え、
前記駆動装置により前記ドラムを回転させることに伴い、そのドラムの回転によって生じる風の流れにより、前記吸気口から取り込んだ空気を当該ドラムを通して前記排気口から前記水槽外へ出して、当該ドラム内の衣類を乾燥させるように構成した洗濯乾燥機。
【請求項２】
前記水槽及び前記ドラムは、何れも背面側が閉塞された有底円筒状をなし、
前記吸気口は前記水槽に形成された槽側吸気口であって、少なくとも当該槽側吸気口の一部が前記ドラムの前面開口部よりも前方に位置する請求項１記載の洗濯乾燥機。
【請求項３】
前記水槽及び前記ドラムは、何れも背面側が閉塞された有底円筒状をなし、
前記筐体は、前記水槽の前面開口部と対向する位置に、衣類の出入口を開閉するための扉を備え、
前記扉に、前記吸気口を形成した請求項１記載の洗濯乾燥機。
【請求項４】
前記水槽の所定高さの位置に溢水口が設けられ、
前記吸気口及び前記排気口は、何れも前記溢水口よりも高い位置に形成されている請求項１〜３の何れか一項記載の洗濯乾燥機。
【請求項５】
前記水槽の所定高さの位置に溢水口が設けられ、
前記吸気口に連なり、前記水槽内に取り込む外気を通す吸気風路と、
前記排気口に連なり、前記水槽内から排気する空気を通す排気風路と、備え、
前記吸気風路及び前記排気風路は、何れも少なくとも一端部又は途中部が前記溢水口よりも高い位置となるように配設されている請求項１〜３の何れか一項記載の洗濯乾燥機。
【請求項６】
前記吸気口に連なり、前記水槽内に取り込む外気を通す吸気風路を備え、
前記吸気風路内に、前記ドラムの回転によって前記水槽内へ吸気する方向に送風する送風ファンを備える請求項１〜４の何れか一項記載の洗濯乾燥機。
【請求項７】
前記吸気風路内に、前記送風ファンによる送風を加熱することで温風化するヒータを備える請求項６記載の洗濯乾燥機。
【請求項８】
前記吸気口は、前記筐体内の空気を前記外気として前記水槽内に取り込む槽側吸気口とし、又は前記筐体内の空気を前記水槽内に取り込む吸気風路に連なる請求項１又は２記載の洗濯乾燥機。
【請求項９】
前記排気口に連なり、前記水槽内から排気する空気を通す排気風路を備え、
前記排気風路は、前記水槽内の空気を前記筐体外へ排気するように延設されている請求項１〜４の何れか一項記載の洗濯乾燥機。
【請求項１０】
前記吸気口は、前記水槽の背面に設けられている請求項１記載の洗濯乾燥機。
【請求項１１】
前記水槽の背面側には、前記駆動装置を構成する洗濯機モータが設けられ、前記吸気口は、前記洗濯機モータの周囲部に位置している請求項１０記載の洗濯乾燥機。
【請求項１２】
前記洗濯機モータの背面側を覆うカバーが設けられ、前記吸気口は、前記カバー内に連通している請求項１０又は１１記載の洗濯乾燥機。
【請求項１３】
前記カバーには、前記洗濯機モータの中心部に対応して空気取入口が設けられている請求項１２記載の洗濯乾燥機。
【請求項１４】
前記吸気口と、前記筐体の背面又は上面に形成された空気取入口とを接続する可撓性を有するダクトが設けられている請求項１０又は１１記載の洗濯乾燥機。
【発明の詳細な説明】
【技術分野】
【０００１】
本発明の実施形態は、洗濯乾燥機に関する。
【背景技術】
【０００２】
従来より、例えば全自動洗濯機は、縦軸周りに回転する回転槽を備えており、その回転槽内の衣類に対する洗濯、すすぎ、脱水、乾燥の各行程を自動で実行するようになっている。この種の洗濯機では、乾燥工程において、送風機を用いることなく、回転槽の高速回転時に生じる風の流れを利用して衣類を乾燥させる、所謂風乾燥を行うものがある。この風乾燥では、全自動洗濯機の回転槽や水槽の上方が夫々開放されているため、回転槽の高速回転により、その上方の開口部から回転槽内へ向かう風の流れが生成される。
【０００３】
これに対し、ドラムが横軸周りに回転するドラム式の洗濯機では、そのドラムや水槽の前方が夫々開放されているものの、運転時には水槽の開口部から洗濯水等が漏れないよう、扉で塞ぐ構造になっている。それ故、ドラム式の洗濯機では、前記の風乾燥を乾燥行程で行うことができず、ヒートポンプ或いは送風機を搭載することで、係る熱交換作用或いは強制的な送風作用により衣類を乾燥させていた。
【先行技術文献】
【特許文献】
【０００４】
【特許文献１】特開２００６−４３１８４号公報
【発明の概要】
【発明が解決しようとする課題】
【０００５】
そこで、横軸周りに回転可能なドラムを備えた構成にあって、衣類を乾燥するときの省電力化を図ることが可能な洗濯乾燥機を提供する。
【課題を解決するための手段】
【０００６】
本実施形態の洗濯乾燥機は、外郭を形成する筐体と、前記筐体内に設けられた水槽と、前記水槽内に横軸周りに回転可能に設けられ、多数の孔を有するドラムと、前記ドラムを回転させる駆動装置と、前記水槽内に外気を取り込むための吸気口と、前記水槽内の空気を排気するための排気口と、を備え、前記駆動装置により前記ドラムを回転させることに伴い、そのドラムの回転によって生じる風の流れにより、前記吸気口から取り込んだ空気を当該ドラムを通して前記排気口から前記水槽外へ出して、当該ドラム内の衣類を乾燥させるように構成した。
【図面の簡単な説明】
【０００７】
【図１】第１実施形態における洗濯機の概略構成を模式的に示す破断側面図
【図２】同正面図
【図３】電気的構成を示すブロック図
【図４】洗い〜乾燥の各行程と乾燥工程におけるドラムの回転制御の説明図
【図５】第２実施形態を示す図１相当図
【図６】第３実施形態を示すものであり、図１相当図
【図７】図２相当図
【図８】第４実施形態を示す図６相当図
【図９】第５実施形態を示す図６相当図
【図１０】第６実施形態を示すもので、洗濯乾燥機の全体構成を概略的に示す縦断側面図
【図１１】水槽部分の構成を示す背面図
【図１２】ドラムの内部構成を示す正面図
【図１３】第７実施形態を示すもので、洗濯乾燥機の上部側の構成を概略的に示す縦断側面図
【図１４】第８実施形態を示すもので、洗濯乾燥機の上部側の構成を概略的に示す縦断側面図
【図１５】第９実施形態を示すもので、ドラムの内部構成を示す正面図
【図１６】第１０実施形態を示すもので、ドラム部分の背面図
【図１７】第１１実施形態を示すもので、水槽部分の背面図
【発明を実施するための形態】
【０００８】
以下、複数の実施形態による洗濯機について図面を参照しながら説明する。なお、各実施形態において実質的に同一の構成部位には同一の符号を付し、説明を省略する。
＜第１実施形態＞
第１実施形態について図１から図４を参照して説明する。図１、図２に示す洗濯機１は、乾燥機能を備えたドラム式の洗濯乾燥機である。洗濯機１において外郭を形成する筐体２は、矩形の箱状をなしていて、前面２ａ（図１では左側）が前下がりにやや傾斜している。筐体２の前面２ａには、衣類たる洗濯物の出入口３が形成されているとともに、当該洗濯物出入口３を開閉するための扉４が回動可能に設けられている。
【０００９】
図１に示すように、筐体２の内部には水槽５が配設されている。水槽５は、その背面側（図１では右側）となる後面部５ｂが閉塞された略有底円筒状をなし、軸線方向が前後方向を向く横軸形である。水槽５は、左右一対のサスペンション６を介して前上がりの傾斜状態に配設されている。水槽５の前面開口部５ａは、洗濯物出入口３と対向し、後述するベローズ２０により当該出入口３と当該開口部５ａとの間を水密且つ気密に接続している。
【００１０】
水槽５内には、回転槽としてのドラム７が横軸周りに回転可能に収容されている。ドラム７も、水槽５と同様、後面部が閉塞された略有底円筒状をなし、軸線方向が前後方向を向く横軸形で、前上がりの傾斜状態に配設されている。ドラム７の周壁部には、通水及び通風が可能な孔８が多数形成され、ドラム７の後面部にも同様の孔（図示略）が形成されている。ドラム７の周壁部の内面には、ドラム７の回転に伴い洗濯物を持ち上げて撹拌するための複数のバッフル９が等間隔で設けられている。ドラム７の前面開口部７ａは、水槽５の前面開口部５ａとともに洗濯物出入口３に連通している。ドラム７内には、洗濯物出入口３を通して洗濯物が出し入れ可能に収容される。
【００１１】
水槽５の後面部５ｂには、ドラム７を回転させる駆動装置として洗濯機モータ１０が設けられている。洗濯機モータ１０は、例えばアウターロータ形のＤＣブラシレスモータからなり、回転軸１０ａを介してドラム７をダイレクトに回転駆動する。洗濯機モータ１０は、正転と反転が可能で、後述の制御装置２３による速度制御が可能である。ドラム７は、洗濯時には洗濯槽として、脱水時には脱水槽として、そして乾燥時には乾燥槽として機能する。
【００１２】
筐体２内の上部には、給水弁１１（図３参照）を有する給水装置が設けられている。図示は省略するが、給水装置は、ホースにより外部の水道の蛇口に接続されていて、給水弁１１を介して水道水を水槽５内に供給する。また、図示は省略するが、水槽５の底部の後部には排水口が設けられている。この排水口には、排水弁１２（図３参照）を有する排水路が接続されていて、排水弁１２を開放させることに伴い、水槽５内の水は、排水路を通して機外へ排出される。
【００１３】
図１に示すように、水槽５の後面部５ｂには、その上部寄りの位置に溢水口１４が設けられている。溢水口１４は、水槽５の所定高さの位置にあって、例えば洗濯機モータ１０外縁部の上側に位置して形成されている。また、水槽５の後面部５ｂには、その背面側に沿う溢水路１５が設けられている。溢水路１５は、その上端部が溢水口１４に接続され、下端部は下方に延びて前記排水路に接続されている。したがって、水槽５内の水位が溢水口１４を越えると、その水は溢水口１４から溢水路１５を通り、排水路を通して機外へ排出される。
【００１４】
水槽５は、前面開口部５ａから洗濯時の洗濯水等が漏れないよう、扉４で塞ぐ構造となっている。ここで、扉４や洗濯物出入口３周辺の構成について説明しておく。
図１、図２に示すように、扉４は、その周縁をなす環状ベース部材４ｃに対して、前面部位となる前面窓部材４ａと後面部位となる後面窓部材４ｂとを組付けてなる。扉４の環状ベース部材４ｃは、例えば合成樹脂材料からなり、洗濯物出入口３の段落ち部３ｂに収まる円環状をなしている。環状ベース部材４ｃの前端部に嵌め込まれた前面窓部材４ａは、例えば透明性を有する合成樹脂材料から略平坦（緩やかな曲面状）に形成されている。環状ベース部材４ｃの後端部に嵌め込まれた後面窓部材４ｂは、例えば透明性を有するガラス材料からなり、後方へ膨出した浅底な円筒容器状をなす。これにより、扉４は、前面窓部材４ａと後面窓部材４ｂとの間に空間を形成するとともに、後面窓部材４ｂにおける後方へ膨出した部分がドラム７の前面開口部７ａに臨み、洗濯物の押込み部材として機能する。
【００１５】
一方、洗濯物出入口３は、洗濯物の投入可能な開口を有する枠部材３ｗにより形成されている。枠部材３ｗは、筐体２の前面２ａと面一になる外周部３ａと、その内側が扉４の外周形状（環状ベース部材４ｃ）に合わせて後方へ段落ちした段落ち部３ｂとを一体に有し、全体として段付き円環状をなす。洗濯物出入口３の枠部材３ｗと、後述の水槽カバー５ｄとの間は、柔軟性を有するベローズ２０で連ねられている。詳しい図示は省略するが、ベローズ２０は、洗濯物出入口３を閉じた扉４の裏面側に弾接するリップを有し、扉４で封止される水密構成をなすとともに、柔軟性により水槽５側の振動が枠部材３ｗ或いは前面２ａ側に極力伝達されないようになっている。
【００１６】
さて、水槽５には、乾燥時に当該水槽５内に外気を取り込むための吸気風路２１と、水槽５内の空気を排気するための排気風路２２とが配設されている。こうした水槽５の風路２１，２２に係る構成について、図１、図２を参照しながら詳述する。
【００１７】
先ず水槽５は、その前後方向の中間部で結合された水槽カバーと水槽本体とで構成されて、前述した略有底円筒状をなしている。即ち、水槽５は、例えば合成樹脂材料からなる、前部側の水槽カバーと、後部側の水槽本体とで形成されているが、図１では便宜上、それら二部材を一体的に表した模式図としている。それゆえ厳密には、水槽５の周壁部５ｃは、その中間部における水槽カバーの円筒部及び水槽本体の円筒部の嵌合部分が外周面側へ若干突出する段付き状をなしており、内周面側が面一に連ねられている。
【００１８】
前記水槽カバーは、円筒部と、その前端にて径方向内側へ張り出す張出し部とを一体に有し、図１の符号５ｄは、当該水槽カバーの張出し部に付している。この水槽カバーの張出し部５ｄの中央が、前記の開口部５ａとされている。また、前記水槽本体は、円筒部と、その後端の後面部５ｂとを一体に有する。このように、水槽カバーの張出し部５ｄは、水槽５の張出し部５ｄであり、水槽本体の後面部５ｂは、水槽５の後面部５ｂである。
【００１９】
水槽５の張出し部５ｄの上部には、右寄りの部位を板厚方向（前後方向）に貫通する槽側吸気口２１ｃが形成されている。吸気風路２１は、その一端側を槽側吸気口２１ｃとして前方へ向かい、途中部２１ｂから上方へ向かうように屈曲した筒状をなす。こうして、吸気風路２１は、その一端部が水槽５の槽側吸気口２１ｃと一体に連なるようにして開口し、他端部２１ａが筐体２の天井側に向けて開口している。
【００２０】
槽側吸気口２１ｃは、水槽５の張出し部５ｄの右上部において、当該吸気口２１ｃの全部がドラム７の前面開口部７ａよりも前方に位置し（図１参照）、その吸気風路２１は、図２の正面視にて水槽５周壁部５ｃの接線方向に沿う上方へ延びている。また、吸気風路２１は、その一端部２１ｃ及び途中部２１ｂが何れも溢水口１４よりも高い位置に配設されており、槽側吸気口２１ｃ或いは吸気風路２１を通じた、水槽５外への水の飛散を防止している（ドラム７の回転方向Ｆ参照）。なお、前記周壁部５ｃの「接線方向」とは、ドラム７周壁部の右端の点における下向きの回転接線方向とは逆向きの方向を称するものとする。
【００２１】
図１、図２に示すように、水槽５の周壁部５ｃの後端側には、当該周壁部５ｃ上側の右寄りの部位を貫通する槽側排気口２２ｃが形成されている。排気風路２２は、その一端側を槽側排気口２２ｃとし、前記接線方向たる上方へ向かうように延設された筒状をなす。こうして、排気風路２２の一端部は、水槽５の槽側排気口２２ｃと一体に連なるようにして開口し、他端部２２ａは筐体２の天井側に向けて開口している。これにより、排気風路２２は、吸気風路２１と同様、その全部２２ａ〜２２ｃが溢水口１４よりも高い位置に配設されており、槽側排気口２２ｃ或いは排気風路２２を通じた、水槽５外への水の飛散を防止している。
【００２２】
上記した風路２１，２２に係る構成により、乾燥工程では、洗濯機モータ１０によりドラム７を高速度で所定方向に回転させることに伴い、当該回転によって生じる風の流れ（図１の矢印参照）を利用して、筐体２内の空気を外気として吸気風路２１から水槽５内に取り込み、その取り込んだ空気を、当該ドラム７を通して排気風路２２から水槽５外へ出して、当該ドラム７内の洗濯物を乾燥させる、言わば風乾燥が可能になっている。
【００２３】
なお、図２の正面視における風路２１，２２の位置関係から明らかなように、吸気口２１ｃと排気口２２ｃは、水槽５上端よりも右側の部位（つまり上端より若干下側の部位）で開口しているが、図１の側面図では説明の便宜上、水槽５の略上端の位置に吸気口２１ｃと排気口２２ｃを表している。また、詳しくは後述するように、上記風路２１，２２は、何れも少なくとも一端部２１ｃ，２２ｃ又は途中部２１ｂ，２２ｂが溢水口１４よりも高い位置に配設されていればよく、槽側吸気口２１ｃは、少なくともその一部がドラム７の前面開口部７ａよりも前方に位置していればよい。
【００２４】
図３は、上記洗濯機１の電気的構成を概略的に示すブロック図である。前記制御装置２３は、筐体２内の下部に設けられ（図１参照）、操作部２４を有する操作パネルは、筐体２前面２ａの上部に設けられるものとする。
【００２５】
制御装置２３は、マイクロコンピュータを主体に構成されていて、ドラム７内の洗濯物の洗濯〜乾燥を行う洗濯行程〜乾燥行程を含む洗濯機１の動作全般を制御する。制御装置２３には、ユーザによる選択・設定操作を受け付ける操作部２４、洗濯機モータ１０に流れる電流を検知する電流センサ２５等が接続され、それらの信号が入力される。制御装置２３は、ＲＯＭ、ＲＡＭ等の記憶部が設けられていて、運転制御プログラム等を記憶している。そして、制御装置２３は、上記した各種の入力信号に基づき、運転制御プログラムに従って洗濯機モータ１０、排水弁１１、給水弁１２等を制御する。
【００２６】
次に、上記構成の作用について説明する。先ず使用者は、ドラム７内に洗濯物を投入した後、扉４を閉じて操作部２４を操作し、運転開始を指示すると、制御装置２３は、設定された運転のコースに応じた洗濯運転、乾燥運転、或いはその両運転を行う洗濯乾燥運転を実行する。そのうち、洗濯乾燥運転が指示された場合には、洗い、すすぎ、脱水等を含む洗濯行程、並びに、乾燥行程が自動で実行される。
【００２７】
ここで、図４は、洗濯乾燥運転の各行程と、乾燥行程での洗濯機モータ１０の回転制御を示す説明図である。
同図に示すように、洗濯行程は、洗濯物を洗剤洗いする洗い行程Ｓ１と、洗剤洗いされた洗濯物をすすぎ洗いするすすぎ行程Ｓ２と、濡れた洗濯物を脱水する脱水行程Ｓ３とを含む。制御装置２３は、洗い行程Ｓ１やすすぎ行程Ｓ２で、給水弁１１を開放させて水槽５内に給水し、その後にドラム７を低速度で正逆両方向に交互に回転させる処理を実行し、脱水行程Ｓ３で、排水弁１２にて水槽５内の水を排出させた後、ドラム７を高速度で一方向に回転させる処理を実行する。なお、洗い行程Ｓ１の開始に際し、制御装置２３により、洗濯機モータ１０のベクトル制御を行い、ドラム７内の洗濯物重量を検知する。即ち、前記給水前に予め、洗濯機モータ１０によりドラム７を例えば１７０ｒｐｍまで急速回転させ、その急速回転の際に洗濯機モータ１０に流れる電流値を電流センサ２５により検知し、この検知した電流値（トルク成分に対応するｑ軸電流値）に基づき当該洗濯物の重量が検出される。
【００２８】
上記脱水行程Ｓ３を終えると、制御装置２３は、ドラム７を高速で正方向（図２の回転方向Ｆ参照）に回転させることにより、風乾燥による乾燥工程を実行する。より具体的には、図４に示すように、ドラム７を高速度で正方向に所定時間（例えば行程Ｓ３と同じ定常回転速度で３０分間）回転させるように洗濯機モータ１０を駆動する風乾燥と、当該正方向への回転の停止後に、ドラム７を比較的低速度で短時間毎に正方向及び逆方向に交互に回転させるように洗濯機モータ１０を駆動して、ドラム７内面に張り付いた洗濯物をほぐすほぐし動作とを繰り返す。
【００２９】
風乾燥では、ドラム７の高速回転に伴い、洗濯物の水分がドラム７における多数の孔８から遠心力で振り切られるとともに、ドラム７内の空気も多数の孔８から排出されて当該ドラム７内が負圧になり、吸気風路２１とその吸気口２１ｃを通じて、水槽５の前面側から大量の外気が吸引される。このとき当該風路２１や吸気口２１ｃを通じて吸引される外気は、筐体２内の空気であり、ドラム７の前面開口部７ａ側から導かれることとなる。従って、係る外気は、筐体２内のモータ１０等から出る排熱を利用するものとして、ドラム７内の洗濯物に対し前後にわたって接触する送風作用（図１の矢印方向参照）により効果的に洗濯物から湿気を奪う。これにより、湿気を含んだ空気は前記の孔８からドラム７外面と水槽５内面との間に排出されて、後方の排気口２２ｃとその排気風路２２を通じて、水槽５外へ出る。
【００３０】
上記乾燥工程は、乾燥時間設定手段としての制御装置２３及び電流センサ２５（センサ類）により、前記洗濯物重量に応じて求めた時間分（回数分）の風乾燥とほぐし動作とが繰り返し実行されることで、洗濯物が略乾燥状態となる。また、ほぐし動作は、ドラム７内の洗濯物のアンバランスを解消するだけでなく、風乾燥時に洗濯物に偏りなく外気を接触させるために当該偏りを是正することから、前記の送風作用と相俟って、所期の乾燥効果が得られることとなる。
【００３１】
以上説明したように、本実施形態の洗濯機１は、水槽５内に外気を取り込むための吸気口２１ｃと、水槽５内の空気を排気するための排気口２２ｃと、を備え、洗濯機モータ１０によりドラム７を回転させることに伴い、そのドラム７の回転によって生じる風の流れにより、吸気口２１ｃから取り込んだ空気を当該ドラム７を通して排気口２２ｃから水槽５外へ出して、当該ドラム７内の洗濯物を乾燥させるように構成した。これによれば、熱源となる装置（ヒートポンプ装置等）や送風装置を省いた構成としても、ドラム７内の洗濯物を略乾燥状態にすることができる。従って、乾燥工程での熱による洗濯物の傷みを防止することができるとともに省電力化を図ることができ、安価で簡単な構成の洗濯機１を提供することができる。
【００３２】
前記吸気口２１ｃは水槽５に形成された槽側吸気口２１ｃであって、少なくとも当該槽側吸気口２１ｃの一部がドラム７の前面開口部７ａよりも前方に位置する。これによれば、槽側吸気口２１ｃを通じて、ドラム７の前面開口部７ａ側より、外気を効率よく吸入することができるとともに、ドラム７の回転により生じる風の流れを利用して当該ドラム７の前方から後方にわたって効果的な送風作用を得ることができる。
【００３３】
前記吸気口２１ｃは、筐体２内の空気を外気として水槽５内に取り込む槽側吸気口２１ｃであり、筐体２内の空気を水槽５内に取り込む吸気風路２１に連なる構成とした。これによれば、ヒータ等の熱源となる装置を用いない常温での風乾燥といえども、筐体２内の洗濯機モータ１０等から出る排熱を利用した効果的な乾燥作用を得ることができる。
【００３４】
水槽５の所定高さの位置に溢水口１４が設けられ、吸気口２１ｃ及び排気口２２ｃは、何れも溢水口１４よりも高い位置に形成されている。これによれば、洗い行程Ｓ１やすすぎ行程Ｓ２で、洗濯物を撹拌しても、吸気口２１ｃや排気口２２ｃから水槽５外に水が溢れ出ることを防止できる。
【００３５】
以下の実施形態で説明するように、上記した風路２１，２２の形状や吸気口２１ｃ及び排気口２２ｃの位置等を適宜変更することができる。こうした他の実施形態においても、吸気風路２１及び排気風路２２は、何れも少なくとも一端部２１ｃ，２２ｃ又は途中部２１ｂ，２２ｂが溢水口１４よりも高い位置となるように配設される。
【００３６】
これによれば、洗い行程Ｓ１やすすぎ行程Ｓ２で、洗濯物を撹拌しても、吸気口２１ｃや排気口２２ｃの一端部２１ｃ，２２ｃ又は途中部２１ｂ，２２ｂまで水位が上昇しないため、水槽５外に水が溢れ出ることを防止できる。また、仮に、吸気風路２１や排気風路２２の水槽５側の一端部を溢水口１４の位置より低い位置に形成したとしも、吸気風路２１や排気風路２２の途中部まで水位が上昇しない構成とすることができ、水槽５外に水が溢れ出ることを防止できる。なお、風路２１，２２そのものを省略する場合には、吸気口や排気口２２ｃを溢水口１４よりも高い位置に形成すればよい。
【００３７】
＜第２実施形態＞
第２実施形態について図５を参照して説明する。本第２実施形態の吸気風路３１及び排気風路３２は、第１実施形態の吸気風路２１及び排気風路２２と以下の点で相違する。即ち、吸気風路３１は、その一端側が槽側吸気口２１ｃに連なり、水槽５の前方から後方へ折返す「Ｕ」字状をなして後方へ延設され、他端部３１ａが下側に向けて開口している。この吸気風路３１の途中部３１ｂには、送風ファン３３を備えた送風装置が配設されている。
【００３８】
詳しい図示は省略するが、送風装置は、吸気風路３１内に収容された送風ファン３３と、当該ファン３３を駆動するファンモータとを備える。ファンモータは、制御装置２３に接続され、ドラム７の回転によって水槽５内へ吸気する方向と同じ方向に送風するように送風ファン３３を駆動する。つまり、送風ファン３３は、送風作用を高めるべく、乾燥工程において図５の矢印方向へ送風するようにファンモータで駆動される。
【００３９】
一方、排気風路３２は、前記風路２２と、当該風路２２上端に連通接続された蛇腹部（途中部）３２ａと、蛇腹部３２ａの上端に連通接続され、筐体２後部で上面側が開放された上面開口部３２ｂとで構成されている。こうして、排気風路３２は、その構成部材２２，３２ａが後方上部に延びて、水槽５からの排気を筐体２上面の開口部３２ｂ（つまり筐体２の外部）へ導くように延設されている。なお、吸気風路３１の途中部３１ｂにも蛇腹部３４が設けられており、それら風路３１，３２の蛇腹部３２ａ，３４によって、水槽５側から筐体２側への振動の伝達を抑制している。
【００４０】
そして、制御装置２３は、乾燥工程において、前述したドラム７の回転駆動だけでなく、前記ファンモータにより送風ファン３３を回転駆動させる。この場合、ドラム７の回転に伴う送風作用と送風ファン３３による送風作用が相俟って、吸気風路３１を通して水槽５内へ、より大きな送風量が得られ、水槽５内の空気は排気風路３２を通して筐体２外へ排気される。また、制御装置２３は、乾燥工程において、ほぐし動作中も続けて送風する送風制御を行うことで、乾燥性能を一層高める。
【００４１】
以上のように本第２実施形態の洗濯機１は、吸気風路３１内に、ドラム７の回転によって水槽５内へ吸気する方向に送風する送風ファン３３を備える。これによれば、ヒータ等の熱源となる装置を用いずに、乾燥性能を、より大きな送風量を得ることで、一層高めることができる。
【００４２】
また、排気風路３２は、水槽５内の空気を筐体２外へ排気するように延設されている。これによれば、乾燥工程において、ドラム７内の洗濯物から湿気を奪った空気は、排気風路３２を通して筐体２外へ排気される。このため、当該湿気を含んだ空気を吸気風路３１から吸気することなく、前記モータ１０等の排熱を利用した乾燥を行うことできる。
【００４３】
＜第３実施形態＞
第３実施形態について図６及び図７を参照して説明する。本第３実施形態では、第１実施形態の槽側吸気口２１ｃと吸気風路２１に代えて、扉側吸気口３５ａ，３５ｃとその吸気風路３５が設けられている。
【００４４】
即ち、図６、図７に示すように、扉４には、前面窓部材４ａと後面窓部材４ｂとに、横長な矩形状の吸気口３５ａと吸気口３５ｃとが扉側吸気口として形成されている。また、扉４の中空部には、前面窓部材４ａの吸気口３５ａと、後面窓部材４ｂの吸気口３５ｃとを連ねる横長な角筒状をなす吸気風路３５の部材が嵌め込まれるようにして設けられている。これにより、扉４には、その厚み方向となる水槽５の軸線方向（略前後方向）に貫通する吸気風路３５が形成されている。
【００４５】
扉４において、各窓部材４ａ，４ｂ及び吸気風路３５は、例えば透明性を有する合成樹脂材料で成形されている。吸気風路３５は、図７の正面視において、扉４の上寄りの位置で、左右の周縁側まで横方向に拡がる形状をなしており、水槽５内部と筐体２外部とを連通させている。また、吸気風路３５は、少なくとも吸気口３５ｃ側が溢水口１４よりも高い位置に形成されており、吸気口３５ａ，３５ｃの双方（一方でもよい）に、縦の格子状をなす格子枠材（化粧枠）３６が取付けられている（図７にのみ図示）。
【００４６】
上記した吸気風路３５に係る構成により、乾燥工程では、ドラム７を高速度で所定方向に回転させることに伴い、当該回転によって生じる風の流れ（図６の矢印参照）を利用し、吸気口３５ａ，３５ｃを有する吸気風路３５を通じて、筐体２外の空気を外気として水槽５内に取り込み、その取り込んだ空気を、当該ドラム７を通して排気風路２２から水槽５外へ出して、当該ドラム７内の洗濯物を乾燥させることができる。
【００４７】
以上のように本第３実施形態では扉４に吸気口３５ａ，３５ｃを形成したので、その扉側吸気口３５ａ，３５ｃを通じて、ドラム７の前面開口部７ａ側より、筐体２外の空気を効率よく吸入することができる。吸気口３５ａ，３５ｃは、ドラム７の前面開口部７ａに近い正面の位置にあり、筐体２外の空気を取り入れるための風路３５長さや配設スペースを扉４を利用して極力小さくすることができる。また、扉４を利用して比較的幅広な（つまり開口面積が大きい）吸気口３５ａ，３５ｃ乃至吸気風路３５を形成することができる。更に、吸気口３５ｃを溢水口１４よりも高い位置に形成したので、水槽５外に水が溢れ出ることを防止できる等、第１実施形態と同様の効果を奏する。また、吸気口３５ｃを筐体２の前面の扉４に設けたため、扉４を閉じた運転状態では、吸気口３５ｃが塞がれることなく、当該ドラム７内の洗濯物を乾燥させることができる。
【００４８】
＜第４実施形態＞
第４実施形態について図８を参照して説明する。本第４実施形態では、吸気風路３５内に送風ファン３７とヒータ３８を備える点で、第３実施形態と相違する。即ち、吸気風路３５の途中部３５ｂには、送風ファン３７が収容されていて、その送風ファン３７を駆動する図示しないファンモータと当該ファン３７で送風装置が構成されている。ファンモータは、制御装置２３に接続され、ドラム７の回転によって水槽５内へ吸気する方向つまり前記軸線方向に水槽５側へ向けて送風するように送風ファン３７を駆動する。
【００４９】
ヒータ３８は温風生成用のものであり、吸気風路３５内において送風ファン３７よりも空気の流れの下流側に配置され、制御装置２３による通断電制御が行われる。なお、扉４の窓部材４ｂや吸気風路３５は例えば透明性を有するガラス材料から構成してもよい。
【００５０】
そして、制御装置２３は、乾燥工程においてドラム７を回転駆動させるとともに、前記ファンモータにより送風ファン３７を回転駆動させる。また、この場合、送風ファン３７の回転駆動に併せて、ヒータ３８が通電発熱される。これにより、図８の矢印で示すように、筐体２外の空気を外気として吸気風路３５を通じて水槽５内に取り込む際に、当該吸気風路３５の途中で空気がヒータ３８により温風化される。ドラム７内に供給された温風は、洗濯物と接触して当該洗濯物を温めるとともに、当該洗濯物から湿気を奪う。湿気を含んだ空気は、排気風路２２から水槽５外へ排出される。なお、制御装置２３は、乾燥工程において、ほぐし動作中も続けて送風ファン３７を駆動させるとともにヒータ３８を発熱させる制御を行うことにより、乾燥時間の短縮を図ることができる。
【００５１】
以上のように本第４実施形態の洗濯機１は、吸気風路３５内に、送風ファン３７による送風を加熱することで温風化するヒータ３８を備える。これによれば、乾燥時間の短縮を図ることができるとともに、ヒートポンプ等の熱源を利用した装置に比して簡単且つ安価な構成とすることができる。また、吸気風路３５乃至吸気口３５ａ，３５ｃを通じて、ドラム７の前面開口部７ａ側より、筐体２外の空気を効率よく吸入することができる等、第３実施形態と同様の効果を奏する。
【００５２】
＜第５実施形態＞
第５実施形態について図９を参照して説明する。本第５実施形態の吸気風路４０は扉４に設けられており、第３実施形態の吸気風路３５と以下の点で相違する。即ち、扉４には、環状ベース部材４ｃ上端と後面窓部材４ｂ上部とに、上側吸気口４０ａと後側吸気口４０ｃとが扉側吸気口として設けられている。これにより、扉４の上部には、一端部を上側吸気口４０ａ、他端部を後側吸気口４０ｃをとして、「し」の字状に外気を通す吸気風路４０が形成されている。
【００５３】
この場合、吸気風路４０の底壁部４０ｄは、溢水口１４よりも高い位置にあり、前記軸線方向に延びて扉４の内部空間を上下に仕切り、当該扉４上部（途中部４０ｂ）を吸気風路４０としている。後側吸気口４０はドラム７の前面開口部７ａに臨み、上側吸気口４０ａは、洗濯物出入口３における枠部材３ｗの外周部３ａに臨む位置にある。また、枠部材３ｗの外周部３ａには、扉４の上側吸気口４０ａと対向する位置に切欠部４０ｅが設けられている。
【００５４】
これにより、洗濯物出入口３を扉４で閉じた状態で、扉４の上側吸気口４０ａと枠部材３ｗの切欠部４０ｅとが合わさって、水槽５の外部と内部を、それら切欠部４０ｅ、上側吸気口４０ａ、及び後側吸気口４０を有する吸気風路４０で連通接続している。従って、乾燥工程において、ドラム７を高速度で所定方向に回転させることに伴い、当該回転によって生じる風の流れ（図９の矢印参照）を利用して、吸気風路４０を通じて筐体２外の空気を外気として水槽５内に取り込み、その取り込んだ空気を、当該ドラム７を通して排気風路２２から水槽５外へ出して、当該ドラム７内の洗濯物を乾燥させることができる。なお、吸気風路４０には、図９に示すように切欠部４０ｅの周縁にリブ４１を立設し、又、風路抵抗を小さくするように底壁部４０ｄに傾斜部４２を設けている。また、後側吸気口４０に、第３実施形態の格子枠材３６と同様の格子枠材４３を取り付けるようにしてもよい。
【００５５】
以上のように本第５実施形態では扉４に吸気口４０ａ，４０ｃを形成したので、それら吸気口４０ａ，４０ｃ，４０ｅを含む吸気風路４０を通じて、ドラム７の前面開口部７ａ側より空気を効率よく吸入することができる。また、本第５実施形態でも、吸気口４０ｃを扉４に設けることにより、扉４を閉じた運転状態で吸気口４０ｃが塞がれることなく、当該ドラム７内の洗濯物を乾燥させることができ、又、風路の配設スペース乃至筐体２全体の小型化を図ることができる等、前述した第３、４実施形態と同様の効果を奏する。
【００５６】
＜第６実施形態＞
次に、第６実施形態について、図１０〜図１２を参照して述べる。図１０は、この第６実施形態に係る洗濯乾燥機５１の全体構成を示しており、この洗濯乾燥機５１が上記第１実施形態の洗濯乾燥機１と異なるところは、水槽５２及びドラム５３の構成、駆動装置を構成する洗濯機モータ１０の周辺の構成などにある。即ち、前記水槽５２には、図１１にも示すように、背面の上部に位置して、乾燥風を吸込むための吸気口５４が設けられている。
【００５７】
この場合、吸気口５４は、洗濯機モータ１０の周囲部である、図１１で上部右寄り部（正面から見て左寄り部）に位置して、該洗濯機モータ１０の外周に沿うように、やや湾曲した形態で横長に設けられている。この吸気口５４は、溢水口１４よりも上方に位置している。また、図１０に示すように、水槽５２には、上面前部右端側に位置して、乾燥風を排出するための排気口５５が設けられている。図１１、図１２にも示すように、排気口５５には、排気風路となる例えばゴム製の蛇腹状の排気ダクト５６が接続され、筐体２の上面に、外部に排気する空気排出口５７が設けられている。尚、排気ダクト５６部分にリント捕獲用のフィルタを設けるようにしても良い。
【００５８】
そして、水槽５２の背面側には、図１０、図１１に示すように、前記洗濯機モータ１０の背面側を覆うカバー５８が取付けられている。このカバー５８は、前面が開口した薄型円筒状をなすと共に、図１１で上部右側に位置して外周側に膨らむような膨出部５８ａを一体に有した形態をなしている。このカバー５８は、前面開口端部を前記水槽５２の背面に当接させるように取付けられ、膨出部５８ａが前記吸気口５４を覆うように位置される。従って、吸気口５４はカバー５８内に連通している。また、カバー５８の後面部には、前記洗濯機モータ１０の中央部に対応して円形に開口する空気取入口５８ｂが形成されていると共に、空気の通過は許容しながら該空気取入口５８ｂを塞ぐように、集塵用のフィルタ５９が配置されている。
【００５９】
更に、図１２に示すように、前記ドラム５３の背面部には、中心部に前記洗濯機モータ１０の回転軸１０ａが連結されるハブ部５３ｂが設けられ、そのハブ部５３ｂから外周に向けて６本のスポーク部５３ａが角度６０度間隔で設けられており、スポーク部５３ａ間の隙間部分は、多数の通気孔を有した網目状に構成されている。本実施形態では、スポーク部５３ａうち、円周方向に１個置きの３箇所の内面側に、ドラム５３内の空気を撹拌する（外周側に流す）ための撹拌翼６０が取付けられている。尚、図１０に示すように、ドラム５３の外周壁部には多数の孔８が形成され、内周壁にはバッフル９が設けられている。
【００６０】
上記構成においては、乾燥行程において、洗濯機モータ１０によりドラム５３が正面から見て時計回り方向に比較的高速で回転駆動され、これに伴い、ドラム５３自体がファンとしての役割を果たし、図１０に矢印で示すように空気の流れが生ずる。即ち、筐体２と水槽５２の背面側との間の空気が、カバー５８の空気取入口５８ｂからフィルタ５９を通してカバー５８内に吸込まれ、洗濯機モータ１０の周囲を通って、吸気口５４から水槽５２内（ドラム５３の背面側）に吸込まれる。
【００６１】
吸込まれた空気は、水槽５２とドラム５３との間（ドラム５３の外周側）を流れ、一部は排気口５５から排出されるものの、残りの空気は、前面側からドラム５３内に入る。ドラム５３内の空気は、ドラム５３の中心部（軸部近傍）を前から後方に流れ、ドラム５３内の後部で外周側に流れる。そして、ドラム５３の内周壁に貼付いた衣類の表面側を前方に流れる風と、衣類を通って孔８から外周側に出る風とが生じ、更に回転方向に流れる風も生じ、衣類の乾燥が進む。乾燥に供された空気は、排気口５５から排気ダクト５６を通って筐体２上面の空気排出口５７から機外に排出される。
【００６２】
このとき、洗濯機モータ１０は駆動により発熱し、その周囲部の空気を暖めようになるため、洗濯機モータ１０周囲を通ることで暖められた空気を、水槽５２背面の吸気口５４から、衣類の乾燥に供することができる。ちなみに、本発明者の試験によれば、例えば外気よりも約１０度程度温度が高い空気を水槽内に供給することが可能となった。また、ドラム５３の背面部に撹拌翼６０を設けたことにより、空気撹拌の効果がより高くなり、ドラム５３内の空気の流れをより大きくして乾燥効率を向上させることができる。
【００６３】
このような第６実施形態によれば、上記した第１実施形態等と同様に、熱源となる装置等を省いた構成としても、ドラム５３内の衣類のいわゆる風乾燥を行うことができ、省電力化を図ることができると共に、安価で簡単な構成で済ませることができる等の効果が得られる。そして、本実施形態では、それに加えて、次のような作用・効果を得ることができる。
【００６４】
即ち、本実施形態では、吸気口５４を、水槽５２の背面に設けるようにした。これにより、吸気口５４が水槽５２の背面というユーザにとって見える位置には存在しないので、外観を良好とすることができる。また、吸気口を筐体２の前面等に設けた場合と異なり、開口部が目に見えるところにないので、安全性が高い。吸気口５４が衣類などによって意図せずに塞がれるといった虞がなく、吸気のための開口を常に確保することができる。
【００６５】
そして、本実施形態では、吸気口５４は、洗濯機モータ１０の周囲部に位置している。これにより、洗濯機モータ１０の発熱によって暖められた周囲部の空気を吸気口５４から吸い込んで、ドラム５３内の衣類の乾燥に供することができ、この結果、乾燥効果をより高めることができる。特に本実施形態では、洗濯機モータ１０の背面側を覆うカバー５８を設け、吸気口５４をカバー５８内に連通させている。これにより、カバー５８内において、洗濯機モータ１０により暖められた高温の空気を外部に逃がさずに溜め、より高温の空気を、吸気口５４を通して乾燥に供することができるようになる。カバー５８により、洗濯機モータ１０に埃などが付着することを防止することができる。
【００６６】
このとき、カバー５８には、洗濯機モータ１０の中心部に対応して空気取入口５８ｂが設けられているので、空気取入口５８ｂから取り入れた空気を洗濯機モータ１０の周囲を確実に通して加熱することができ、取り入れた空気を暖めるのに効果的となる。しかも、空気取入口５８ｂにフィルタ５９を設ける構成としたので、洗濯機モータ１０部分、つまりカバー５８内、更に水槽５２やドラム５３内に埃などが侵入することを抑制することができる。ドラム５３の背面部内壁に撹拌翼６０を設けたことにより、乾燥風の生成機能をより高め、乾燥効率をより向上させることができる。
【００６７】
＜第７、第８実施形態＞
図１３は、第７実施形態に係る洗濯乾燥機６１を示している。この第７実施形態の洗濯乾燥機６１は、上記第６実施形態の洗濯乾燥機５１とは次の点で異なっている。即ち、この洗濯乾燥機６１においても、水槽５２の背面上部に、溢水口１４よりも上方に位置して、乾燥風を水槽５２内に吸込むための吸気口５４が設けられている。また、カバー５８をなくしている。そして、筐体２の上面後端部に空気取入口６２が形成されていると共に、吸気口５４と前記空気取入口６２との間を接続するように、ダクト６３が設けられている。このダクト６３は、例えばゴム製の蛇腹状に構成され、可撓性を有している。
【００６８】
この構成によれば、筐体５２の上面に形成された空気取入口６２から、ダクト６３を通して外気を水槽５２内に確実に取込んで、ドラム５３内に送風することが可能となる。また、吸気口５４を、水槽５２の背面に配置するので、外観を良好とすることができ、安全性が高く、さらには、吸気のための開口や空気の通路を良好に確保することができる。ダクト６３は可撓性を有しているので、水槽５２の振動に追従することができることは勿論である。吸気口５４及び空気取入口６２は、溢水口１４よりも上方に位置しているので、空気取入口６２からの水漏れなどを未然に防止することができる。
【００６９】
図１４は、第８実施形態に係る洗濯乾燥機６５を示しており、上記第７実施形態の洗濯乾燥機６１と異なるところは、次の構成にある。即ち、この第８実施形態では、筐体２の背面の上端部寄り部位に、溢水口１４よりも上方に位置して空気取入口６６が形成されている、これと共に、吸気口５４と空気取入口６６との間を接続する、可撓性を有するダクト６７が設けられている。この構成においても、上記第７実施形態と同等の作用・効果を得ることができる。
【００７０】
＜第９、第１０、第１１実施形態＞
図１５は、第９実施形態に係る洗濯乾燥機７１の構成を示すもので、ドラム５３内を前面側から見た様子を示している。ドラム５３の背面部の６本のスポーク部５３ａうち、円周方向に１個置きの３箇所のスポーク部５３ａ部分の内面側には、ドラム５３内の空気を撹拌する（外周側に流す）ための撹拌翼７２が取付けられている。このとき、各撹拌翼７２は、外周に行くほどドラム５３の回転方向（正面から見て時計回り方向）に進むような、半径方向に対して傾斜角度を有した形態（ややカーブした形態）とされている。
【００７１】
この第９実施形態でも、上記第６実施形態と同様に、ドラム５３の背面部内面に、角度をつけて撹拌翼７２を設けたことにより、乾燥行程におけるドラム５３内の空気撹拌の効果、特にドラム５３の回転方向前方（この場合、正面から見て時計回り方向）へ送風効果を高めることができ、乾燥効率をより向上させることができる。
【００７２】
図１６は、第１０実施形態に係る洗濯乾燥機７５を示すもので、ドラム７６の背面側から見た様子を示している。このドラム７６の背面部には、ハブ部７６ｂが設けられていると共に、角度６０度間隔で６本のスポーク部７６ａが設けられている。ここでは、各スポーク部７６ａは、外周に行くほどドラム７６の回転方向（背面から見て反時計回り方向）に傾くような、半径方向に対して傾斜角度を有して直線的に延びる形態とされている。
【００７３】
この第１０実施形態の構成によれば、乾燥行程におけるドラム７６の回転に伴い、各スポーク部７６ａが、ドラム７６の外側（水槽５２との間の隙間）からドラム７６内側に向けて風を引き込むように送風作用を呈し、通気孔を通して空気が積極的にドラム７６内に取り込まれるようになる。従って、ドラム７６内の空気の流れがより促進され、乾燥効率をより向上させることができる。
【００７４】
図１７は、第１１実施形態に係る洗濯乾燥機８１を示すもので、水槽５２を背面側から見た様子を示している。水槽５２の背面には、吸気口５４が洗濯機モータ１０の周囲部上部に位置して、やや湾曲した形態で横長に設けられている。そして、本実施形態では、水槽５２の背面に、前記吸気口５４を開閉する開閉蓋８２及びその開閉蓋８２を開閉駆動する駆動機構８３が設けられている。
【００７５】
このとき、前記開閉蓋８２は、前記吸気口５４の背面側を覆う横長湾曲状の板状をなし、その図で左上辺部において、左右方向にほぼ水平に延びる軸Ｐに沿って回動可能に支持されている。これにて、開閉蓋８２は、吸気口５４の背面側を塞ぐ閉塞位置と、そこから軸Ｐを中心に下側が背面側上方に回動して吸気口５４を開放させる（吸気可能にさせる）開放位置と間で開閉される。詳しく図示はしないが、前記駆動機構８３は、ボックス内に駆動源としてのモータやギヤ機構を備えており、前記開閉蓋８２を閉塞位置と開放位置との間で開閉駆動する。駆動機構８３のモータは、前記制御装置２３により制御される。
【００７６】
この構成においては、洗濯運転時には、開閉蓋８２が閉塞位置にあって吸気口５４が閉塞されている。これにより、洗濯運転時の、吸気口５４からの水槽５２外部への水漏れ、吸気口５４を通した外部からの水槽５２内への埃等の侵入を防止することができる。また、乾燥行程においては、開閉蓋８２が開放位置に移動されて吸気口５４が開放され、上記したような風乾燥を進めることができる。この場合、洗濯機モータ１０の周辺の暖められた空気を吸気口５４から吸込んで、ドラム５３内の衣類の乾燥に供することができ、効率的な乾燥を行うことができる。
【００７７】
＜その他の実施形態＞
水槽５及びドラム７は、軸線方向が前上がりに傾斜したものを例示したが、軸線方向が水平状態のものにも適用できる。また、本発明は、上記した各実施形態或いは変形例を組み合わせる等、適宜変更して実施し得るものである。例えば、図９の洗濯機１において、排気風路２２に代えて、水槽５内の空気を筐体２外へ排気する排気風路３２を設けるようにしてもよい。また、図５の吸気風路３１の途中部３１ｂに、温風生成用のヒータを設けるようにしてもよい。
【００７８】
上記第６実施形態では、洗濯機モータ１０及び吸気口５４を覆うカバー５８を設けるようにしたが、カバーを省略し、吸気口を水槽の背面で露呈するように構成することもできる。このとき、吸気口が洗濯機モータの周囲部に位置していれば、洗濯機モータにより暖められた空気を水槽内部に供給することができる。また、上記各実施形態では、洗濯機モータ１０を、水槽の背面に設けてドラムを直接的に回転駆動する構成としたが、洗濯機モータを筐体内の底部等に設け、ベルト伝達機構等によりドラムを回転駆動する構成としても良い。この場合も、洗濯機モータの周囲の空気が吸気口から吸い込まれるような、風の流れを得る構成とすれば、やはり比較的暖かい空気を乾燥に供することができる。
【００７９】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８０】
図面中、１、５１、６１、６５、７１、７５、８１は洗濯乾燥機、２は筐体、４は扉、５、５２は水槽、７、５３、７６はドラム、８は孔、１０は駆動装置、１４は溢水口、２１ｃ，３５ａ，３５ｃ，４０ａ，４０ｃ，４０ｅは吸気口、２１ｃは槽側吸気口、３５ａ，３５ｃ，４０ａ，４０ｃは扉側吸気口、２２ｃは排気口、２１，３１，３５，４０は吸気風路、２２，３２は排気風路、２１ｂ，２２ｂ，３１ｂ，３２ａ，３５ｂ，４０ｂは途中部、３３，３７は送風ファン、３８はヒータ、５４は吸気口、５５は排気口、５８はカバー、５９はフィルタ、６０、７２は撹拌翼、６２、６６は空気取入口、６３、６７はダクト、７６ａはスポーク部、８２は開閉蓋、８３は駆動機構を示す。
【図１】
2017200564.tif 000003
【図２】
2017200564.tif 000004
【図３】
2017200564.tif 000005
【図４】
2017200564.tif 000006
【図５】
2017200564.tif 000007
【図６】
2017200564.tif 000008
【図７】
2017200564.tif 000009
【図８】
2017200564.tif 000010
【図９】
2017200564.tif 000011
【図１０】
2017200564.tif 000012
【図１１】
2017200564.tif 000013
【図１２】
2017200564.tif 000014
【図１３】
2017200564.tif 000015
【図１４】
2017200564.tif 000016
【図１５】
2017200564.tif 000017
【図１６】
2017200564.tif 000018
【図１７】
2017200564.tif 000019